(57)【要約】【課題】  本考案は木製矢板とセパレータの位置調整を容易にすると共に、セパレータの位置をロックし、木製矢板と型枠間の間隔を容易に一定に設定することができる矢板止金具、及び矢板止金具に使用する山留め型枠固定部材を提供するものである。【解決手段】  平板状の矢板取付部と、該矢板取付部に立設された筒部と、該筒部から一定間隔を保持して設けられたガイド部とを有する矢板止金具と、該矢板止金具の前記筒部に嵌入する螺子部と、該螺子部を移動可能に取り付けられたナットとを有する山留め型枠固定部材とを具備し、前記矢板止金具の前記筒部に前記山留め型枠固定部材の螺子部を嵌入した後、該螺子部の嵌入長を調整し、前記ナットを前記ガイド部に締着することを特徴とする矢板止金具と山留め型枠固定部材の固定方法である。【選択図】  図１
0003137416.tif 000002
【実用新案登録請求の範囲】
【請求項１】
平板状の矢板取付部と、該矢板取付部に立設された筒部と、該筒部内の孔の先端が当接する矢板取付部の位置に形成された穴部とを有する矢板止金具と、
該矢板止金具の前記筒部に嵌入するタッピング螺子部と、セパレータ部を有する山留め型枠固定部材とを具備し、
前記矢板止金具の前記筒部に前記山留め型枠固定部材のタッピング螺子部を嵌入した後、該タッピング螺子部は前記矢板取付部に設けられた穴部を介して前記木製矢板に締着され、前記木製矢板に前記山留め型枠固定部材が取り付けられることを特徴とする矢板止金具と山留め型枠固定部材。
【請求項２】
前記タッピング螺子部が木製矢板に締着される際、山留め型枠固定部材の嵌入長を調整することを特徴とする請求項１記載の矢板止金具と山留め型枠固定部材。
【請求項３】
嵌入部と、ガイドナットとを有する矢板止金具と、
該矢板止金具の前記ガイドナットに嵌入するタッピング螺子部と、セパレータ部を有する山留め型枠固定部材とを具備し、
前記タッピング螺子部は前記ガイドナットに嵌入した後、木製矢板に当接し、該木製矢板に締着され、前記木製矢板に前記山留め型枠固定部材が取り付けられることを特徴とする矢板止金具と山留め型枠固定部材。
【請求項４】
前記タッピング螺子部が木製矢板に締着される際、山留め型枠固定部材の嵌入長を調整することを特徴とする請求項３記載の矢板止金具と山留め型枠固定部材。
【請求項５】
前記木製矢板には、補助板が配設されていることを特徴とする請求項１、２、３、又は４記載の矢板止金具と山留め型枠固定部材。
【請求項６】
前記山留め型枠固定部材には、他の山留め型枠固定部材を連結する連結部材が設けられていることを特徴とする請求項１、２、３、４、又は５記載の矢板止金具と山留め型枠固定部材。
【考案の詳細な説明】
【技術分野】
【０００１】
本考案は、建築現場において土留め壁としてコンクリートを打設する際に使用する新規な矢板止金具、及び矢板止金具に使用する山留め型枠固定部材に関する。
【背景技術】
【０００２】
例えば、建物の地階部分や基礎部分の施工、或いは各種の地下構造物の施工に際しては、土留め壁としてコンクリートを打設する。また、特許文献１に示すように、地下構造物の施工に際して、施工スペースを確保するための地盤掘削を行い、掘削した地山の崩落を防ぐため土留め壁をコンクリート打設する。
【０００３】
図９は従来のコンクリート打設のための型枠施工の例を示す図である。側面の土崩れを防ぐ、例えば木製矢板２０がＨ型鋼２１によって設置され、木製矢板２０には矢板止金具２２が取り付けられている。
【０００４】
図１０は、この矢板止金具２２の斜視図である。矢板止金具２２には複数の穴が形成され、この穴にタッピング螺子を締着し、矢板止金具２２を木製矢板２０に取り付ける。同図に示す例では８個の穴２２ａ〜２２ｈが形成され、不図示のタッピング螺子によって木製矢板２０に締着される。また、この矢板止金具２２は、木製矢板２０に対して一定の間隔で取り付けられ、矢板止金具２２の筒部２５にセパレータ２３が嵌入する。
【０００５】
すなわち、セパレータ２３の先端には雄螺子が形成され、上記矢板止金具２２の筒部２５の内径に形成された雌螺子に締着され、セパレータ２３が矢板止金具２２に取り付けられる。一方、セパレータ２３の他端にも螺子が形成され、型枠２４に取り付けられる。したがって、木製矢板２０と型枠２４間をセパレータ２３によって一定間隔に保ち、以後コンクリートが打設される。
【０００６】
【特許文献１】特開平８−２６９９８７号公報
【考案の開示】
【考案が解決しようとする課題】
【０００７】
上記従来の型枠工事方法においては、木製矢板２０と型枠２４を一定間隔に保たなければならず、木製矢板２０は土壁に沿って設置されている。このため、場所によっては、木製矢板２０の設置にうねりや凹凸が生じ、木製矢板２０と型枠２４を一定間隔に保つため、セパレータ２３によって間隔を一定に調整する。具体的には、上記矢板止金具２２の筒部２５にセパレータ２３を嵌入する際、筒部２５へのセパレータ２３の嵌入長を調整し、木製矢板２０と型枠２４間を一定間隔に保持している。
【０００８】
しかし、上記方法では木製矢板２０とセパレータ２３は嵌入した状態であり、木製矢板２０とセパレータ２３がロックされておらず、位置が安定しない。また、生コンクリートを流し込むと、圧力の影響を受け、更に木製矢板２０と型枠２４間の間隔が不安定になる。
【０００９】
また従来、木製矢板２０に矢板止金具２２を取り付ける際、前述の穴２２ａ〜２２ｈを使用し、多くの螺子によって固定している。この為、作業時間を要し、効率のよい作業を行うことができなかった。
【００１０】
そこで、本考案は木製矢板への矢板止金具の取り付けを容易に行うことができ、作業時間を短縮し、材料のコストダウンを図ることもできる矢板止金具、及び山留め型枠固定部材を提供するものである。
【課題を解決するための手段】
【００１１】
上記課題は第１の考案によれば、平板状の矢板取付部と、該矢板取付部に立設された筒部と、該筒部内の孔の先端が当接する矢板取付部の位置に形成された穴部とを有する矢板止金具と、該矢板止金具の前記筒部に嵌入するタッピング螺子部と、セパレータ部を有する山留め型枠固定部材とを具備し、前記矢板止金具の前記筒部に前記山留め型枠固定部材のタッピング螺子部を嵌入した後、該タッピング螺子部は前記矢板取付部に設けられた穴部を介して前記木製矢板に締着され、前記木製矢板に前記山留め型枠固定部材が取り付けられる矢板止金具と山留め型枠固定部材を提供することによって達成できる。
【００１２】
また、上記課題は第２の考案によれば、前記タッピング螺子部が木製矢板に締着される際、山留め型枠固定部材の嵌入長を調整する矢板止金具と山留め型枠固定部材を提供することによって達成できる。
【００１３】
また、上記課題は第３の考案によれば、嵌入部と、ガイドナットとを有する矢板止金具と、該矢板止金具の前記ガイドナットに嵌入するタッピング螺子部と、セパレータ部を有する山留め型枠固定部材とを具備し、前記タッピング螺子部は前記ガイドナットに嵌入した後、木製矢板に当接し、該木製矢板に締着され、前記木製矢板に前記山留め型枠固定部材が取り付けられる矢板止金具と山留め型枠固定部材を提供することによって達成できる。
【００１４】
また、上記課題は第４の考案によれば、前記タッピング螺子部が木製矢板に締着される際、山留め型枠固定部材の嵌入長を調整する矢板止金具と山留め型枠固定部材を提供することによって達成できる。
【００１５】
また、上記課題は第５の考案によれば、前記木製矢板には、補助板が配設されている矢板止金具と山留め型枠固定部材を提供することによって達成できる。
【００１６】
さらに、上記課題は第６の考案によれば、前記山留め型枠固定部材には、他の山留め型枠固定部材を連結する連結部材が設けられている矢板止金具と山留め型枠固定部材を提供することによって達成できる。
【考案の効果】
【００１７】
本考案によれば、土壁又は山止めのコンクリート打設を行う際、本考案の矢板止金具を使用することによって、作業効率が向上し、従来に比べて極めて容易に作業を行うことが可能となる。また、矢板止金具についても、筒部の長さが従来の矢板止金具に比べて極めて短くなり、矢板止金具自体の材料も少なくてすみ、材料費のコストダウンを図ることができる。
【００１８】
また、また、矢板止金具についても、従来に比べて構造を単純化し、また穴加工を省略でき、更にコストダウンを図ることができる。したがって、作業工程を単略化することができ、工期を短縮することができる。
【考案を実施するための最良の形態】
【００１９】
以下、図面を参照しながら本考案の実施の形態について説明する。
（実施形態１）
【００２０】
図１は、本考案で使用する矢板止金具の外観構成図である。同図において、矢板止金具１は矢板取付部２と、該矢板取付部２に立設された筒部３で構成され、筒部３の長さは従来の矢板止金具の筒部の長さに比べて、例えば１／３〜１／４程度であり、極めて短い構成である。
【００２１】
また、矢板止金具２の真ん中には穴２ａが形成され、この穴２ａは筒部３の延長上に形成されている。したがって、筒部３に後述する山留め型枠固定部材を嵌入した場合、山留め型枠固定部材の先端は矢板取付部２に形成された穴２ａを通して、後述する矢板側に貫通する構成である。
【００２２】
また、筒部３は矢板取付部２に溶接によって固定され、矢板取付部２には、角部近くに４個の穴２ｂ〜２ｅが形成され、不図示のタッピング螺子によって木製矢板に締着可能に構成されている。また、この矢板止金具１は、木製矢板に対して一定間隔で取り付けられ、矢板止金具１の筒部３に山留め型枠固定部材が嵌入する。
【００２３】
一方、図２は山留め型枠固定部材６の外観図を示す。山留め型枠固定部材６はタッピング螺子部７、セパレータ部８、セパ止金具取付部９で構成されている。タッピング螺子部７は後述する矢板に本例の山留め型枠固定部材６を取り付ける為の螺子部であり、例えば焼入れ加工されている。
【００２４】
また、セパレータ部８はコンクリートを型枠に打設する際の型枠間隔を確保する機能を有する。さらに、セパ止金具取付部９は後述する型枠に山留め型枠固定部材６を取り付けた後、型枠を締め込むセパ止金具の取り付け部材である。
【００２５】
以上の構成において、上記矢板止金具１及び山留め型枠固定部材６を本例の型枠工事に使用する例を説明する。
【００２６】
図３は本例の矢板止金具１及び山留め型枠固定部材６を使用した型枠工事の一例を示す図である。同図に示すように、本例の型枠工事では、型枠の一方が土壁１３であり、１１はこの土壁１３側に配置された木製矢板である。また、１２は型枠パネルであり、木製矢板１１と型枠パネル１２間に本例の矢板止金具１及び山留め型枠固定部材６が配設される。
【００２７】
また、矢板止金具１及び山留め型枠固定部材６によって固定された型枠には、コンクリート（所謂生コン）が流し込まれる。
【００２８】
次に、本例の矢板止金具１を使用した型枠設置方法について説明する。先ず、土壁１３側に設けられた木製矢板１１に矢板止金具１を取り付ける。この取り付けは、前述のように木製矢板１１に矢板止金具１の矢板取付部２を当て、矢板取付部２に形成された４個の穴２ｂ〜２ｅを使用して螺子によって締着する。この矢板止金具１の取り付けは木製矢板１１に対して一定間隔で行うが、本例の場合４個の穴２ｂ〜２ｅを使用して、４個の螺子によって矢板止金具２を締着するので、矢板止金具２を木製矢板１１に固定する手間は従来の半分で済む。
【００２９】
次に、木製矢板１１に取り付けられた矢板止金具１の筒部３に山留め型枠固定部材６のタッピング螺子部７をねじ込み、矢板止金具１に設けられた前述の穴２ａを介して、木製矢板１１に山留め型枠固定部材６を直接固定する。また、この時矢板止金具６を木製矢板１１にねじ込む長さは、設置された木製矢板１１の凹凸に従って調整する。例えば、張り糸によって木製矢板１１の設置の凹凸を確認しつつ、山留め型枠固定部材６のねじ込み長を調整する。一方、セパレータ部８の他端にも螺子が形成され、型枠パネル１２に取り付けられる。図４はこのようにして設置された型枠の一部を示す模式図である。
【００３０】
このようにして、矢板止金具２と山留め型枠固定部材６を使用した型枠が完成した後、コンクリートを型枠内に打設する。本例の場合、木製矢板１１と型枠パネル１２間の間隔は型枠内にコンクリートを流し込み、圧力が加わったとしても影響されることがなく、型枠の間隔は一定に保持される。
【００３１】
その後、一定期間（例えば、１０日程度）をおいてコンクリートが固まると、型枠パネル１２を外し、セパレータ部８を山留め型枠固定部材６から取り外す。
以上のように、土壁又は山留めのコンクリート打設を行う際、本例の矢板止金具１を使用することによって、作業効率が向上し、従来に比べて極めて容易に作業を行うことが可能となる。
【００３２】
また、矢板止金具１についても、筒部３の長さが従来の矢板止金具に比べて極めて短くなり、矢板止金具２自体の材料も少なくてすみ、材料費のコストダウンを図ることができる。
（実施形態２）
【００３３】
次に、本考案の実施形態２について説明する。
本例は木製矢板１１と、当該木製矢板１１を保持するＨ型鋼の隙間に矢板止金具を挿入し、矢板止金具に設けたガイドナットを使用して山留め型枠固定部材を木製矢板１１に固定するものである。
【００３４】
先ず、本例で使用する矢板止金具１５の外観構成を図５に示す。同図に示す矢板止金具１５は嵌入部１６、及びガイドナット１７を備えている。嵌入部１６は木製矢板１１とＨ型鋼との隙間に矢板止金具１５の固定する為の構成であり、矢板止金具１５の先端を折り曲げ加工して形成されている。また、ガイドナット１７は山留め型枠固定部材を木製矢板１１にねじ込む際、ガイドとして機能し、例えば矢板止金具１５の側面に溶接で固定されている。
【００３５】
次に、本例の矢板止金具１５を使用した型枠設置方法について説明する。先ず、土壁１３側に設けられた木製矢板１１がＨ型鋼１８によって固定されており、この状態において木製矢板１１とＨ型鋼１８との隙間１９に矢板止金具１５の嵌入部１６を嵌入する。
図６はこの状態を示す図であり、木製矢板１１とＨ型鋼１８との隙間１８ａに矢板止金具１５の嵌入部１６を挿入し、矢板止金具１５をハンマー等で叩き、嵌入部１６を木製矢板１１とＨ型鋼１８の隙間に完全に圧入し、矢板止金具１５を固定する。
【００３６】
次に、この状態において、矢板止金具１５のガイドナット１７を介して山留め型枠固定部材６のタッピング螺子部７を木製矢板１１にねじ込む。すなわち、先ず山留め型枠固定部材６をガイドナット１７に嵌入しつつ、山留め型枠固定部材６のタッピング螺子部７を木製矢板１１の表面に突き当て、以後タッピング螺子部７によって山留め型枠固定部材６を木製矢板１１にねじ込む。尚、本例の場合も、木製矢板１１に山留め型枠固定部材６をねじ込む長さは、設置された木製矢板１１の凹凸に従って調整され、例えば張り糸によって木製矢板１１の設置の凹凸を確認しつつ、山留め型枠固定部材６のねじ込み長を調整する。一方、セパレータ部８の他端にも螺子が形成され、型枠パネル１２に取り付けられる。
【００３７】
このようにして、矢板止金具１５と山留め型枠固定部材６を使用した型枠が完成した後、コンクリートを型枠内に打設する。本例の場合、使用する矢板止金具１５は従来の矢板止金具と異なり、螺子を使用して木製矢板１１に取り付ける必要がなく、単に矢板止金具１５の嵌入部１６を木製矢板１１とＨ型鋼１８との隙間１８ａに圧入し、以後ガイドナット１７をガイドとして山留め型枠固定部材６を木製矢板１１にねじ込むことによって型枠工事を行うことができ、作業工程の単略化、工期の短縮を図ることができる。
【００３８】
また、矢板止金具１５についても、従来に比べて形状を小さくすることができ、また穴加工を省略でき、更にコストダウンを図ることができる。
実施形態３）
【００３９】
次に、本考案の実施形態３について説明する。
【００４０】
本例は木製矢板１１の土壁１３側に補助板１９を一定間隔で配設する構成である。以下、具体的に説明する。
図７は本例を説明する図であり、木製矢板１１の土壁１３側に補助板１９が一定間隔で配設された構成を示す。一般に、木製矢板１１には、幅２０ｃｍ程度の板が使用され、このような板を上下に積み重ね、Ｈ型鋼１８によって互いに固定されている。したがって、生コンクリートを打設した場合、図７に示す矢印方向の圧力によって木製矢板１１が変形し易い。
【００４１】
そこで、本例では上下方向に積み重ねられる板材を補助板１９によって固定し、完成した型枠に生コンクリートを打設した場合でも、圧力によって木製矢板１１が変形することを防止する。尚、木製矢板１１と型枠パネルの固定方法は前述の実施形態１、又は実施形態２と同様である。
【００４２】
このように構成することにより、従来必要であった生コンクリート打設時の保持作業を無くすことができる。例えば、従来型枠パネル１２の外側に型枠パネルの変形を防止する保持機構を設置していたが、このような設置作業を省略することができる。したがって、本例によれば、作業工程を更に単略化することができ、工期を短縮することができる。
（実施形態４）
【００４３】
次に、本考案の実施形態４について説明する。
【００４４】
本例は厚いコンクリート壁を打設する際、又は山留め型枠固定部材が短い場合等に山留め型枠固定部材の延長を可能にする構成である。以下、具体的に説明する。
【００４５】
図８は本例の延長部材の外観構成を示す図である。同図に示すように、山留め型枠固定部材６はタッピング螺子部７、セパレータ部８で構成され、セパレータ部８の先端には連結部材１４が設けられている。この連結部材１４は、例えば２個のナット１４ａ、１４ｂで構成され、ナット１４ａは山留め型枠固定部材６に取り付けられ、ナット１４ｂに延長用の山留め型枠固定部材６´が嵌入する構成である。
【００４６】
このように構成することにより、厚いコンクリート壁を打設する際、又は山留め型枠固定部材が短い場合等において、延長用の山留め型枠固定部材６´の長さを自由に調整することができ、例えば長い延長用の山留め型枠固定部材６´を１種類用意するだけで、各種厚さのコンクリート壁の打設に使用することができる。
【００４７】
したがって、本例によれば長さの異なる延長用の山留め型枠固定部材６´を複数用意する必要がなく、管理コストの削減を図ることができる。
【図面の簡単な説明】
【００４８】
【図１】本考案で使用する矢板止金具の外観図である。
【図２】本考案で使用する山留め型枠固定部材の外観図である。
【図３】山留め型枠固定部材を本例の型枠工事に使用する例を説明する外観図である。
【図４】山留め型枠固定部材を本例の型枠工事に使用する例を説明する模式図である。
【図５】実施形態２で使用する矢板止金具の外観を示す図である。
【図６】実施形態２における矢板止金具の使用状態を説明する図である。
【図７】実施形態３で使用する補助板の外観構成を示す図である。
【図８】実施形態４で使用する延長部材の外観構成を示す図である。
【図９】従来のコンクリート打設のための型枠施工の例を示す図である。
【図１０】従来の矢板止金具の斜視図である。
【符号の説明】
【００４９】
１・・・矢板止金具
２・・・矢板取付部
２ａ・・穴
２ｂ〜２ｅ・・穴
３・・・筒部
６・・・山留め型枠固定部材
７・・・タッピング螺子部
８・・・セパレータ部
９・・・セパ止金具取付部
１１・・木製矢板
１２・・型枠パネル
１３・・土壁
１４・・連結部材
１４ａ、１４ｂ・・連結ナット
１５・・矢板止金具
１６・・嵌入部
１７・・ガイドナット
１８・・Ｈ型鋼
１８ａ・・隙間
１９・・補助板
【図１】
0003137416.tif 000003
【図２】
0003137416.tif 000004
【図３】
0003137416.tif 000005
【図４】
0003137416.tif 000006
【図５】
0003137416.tif 000007
【図６】
0003137416.tif 000008
【図７】
0003137416.tif 000009
【図８】
0003137416.tif 000010
【図９】
0003137416.tif 000011
【図１０】
0003137416.tif 000012